(57)【特許請求の範囲】
【請求項１】
基台の一端の支柱に上下動自在な押圧レバーの基部を枢着した圧潰機であって、前記基台の略中央部に２本の平行なストッパ部材を設けると共に、そのストッパ部材間の中央部には、そのストッパ部材と平行に断面３角形の頂部を有する底部押圧部材を配置し、一方、前記押圧レバーの略中央部にも断面３角形の上部押圧部材を配設し、前記底部押圧部材と上部押圧部材は、押圧レバーの長手方向に対して垂直な方向に配置され、それら互いの押圧部材の頂部は、ほぼ合致するような位置に配置され、スプリングによって前記支柱の頂部に、一端を支持し他端は前記押圧レバーの中間部に保持し、また、前記ストッパ部材と基部との間であって、前記基台上面には、スペーサーを着脱自在に設けると共に、そのスペーサーの幅方向の一部にもストッパ部材を配置し、更に、前記押圧レバーの基部側にも押圧部を配設してなる角缶圧潰装置。
【発明の詳細な説明】
【０００１】
【発明の属する技術分野】
本発明は、大型角缶、小型角缶を手又は足で圧潰する圧潰装置に関する。
【０００２】
【従来の技術】
従来、１８リットル角缶のような大型角缶を動力を使わずに潰す装置として実用新案登録第３０３２４７８号公報が知られている。
この装置は基台上下部受板の中に空き缶を載置し足踏みペダルを数回押し下げラチェット機構により空き缶中央上部を押圧して凹ませ、この空き缶を上方の受板上に移し変えてハンドルレバーにより更に一側を押圧し押し潰し、反転して他側も押し潰すようになっていた。
【０００３】
【発明が解決しようとする課題】
上記従来技術は、空き缶を上下室に移し替え、更に反転して圧潰していたので機構が複雑で高価となり、作業効率も悪く、又、大型角缶のみの専用機であり、小型角缶を圧潰できないので用途が限定され利用範囲が狭いという問題点があった。
【０００４】
【課題を解決するための手段】
本発明は上記問題点を解決することを目的とし、基台の一端の支柱に上下動自在な押圧レバーの基部を枢着した圧潰機であって、前記基台の略中央部に２本の平行なストッパ部材を設けると共に、そのストッパ部材間の中央部には、そのストッパ部材と平行に断面３角形の頂部を有する底部押圧部材を配置し、一方、前記押圧レバーの略中央部にも断面３角形の上部押圧部材を配設し、前記底部押圧部材と上部押圧部材は、押圧レバーの長手方向に対して垂直な方向に配置され、それら互いの押圧部材の頂部は、ほぼ合致するような位置に配置され、スプリングによって前記支柱の頂部に、一端を支持し他端は前記押圧レバーの中間部に保持し、また、前記ストッパ部材と基部との間であって、前記基台上面には、スペーサーを着脱自在に設けると共に、そのスペーサーの幅方向の一部にもストッパ部材を配置し、更に、前記押圧レバーの基部側にも押圧部を配設したことを特徴とする。
【０００５】
【発明の実施の形態】
本発明の実施の形態を図示した実施例に基づいて詳細に説明する。
図１乃至図４は本発明の一実施例である。１は基台で、一端に突設した支柱２に押圧レバー３の基部をピン４で上下回動自在に枢着し、常時スプリング５により非作動位置に保持している。基台１の略中央部には１８リットル缶のような大型４角空き缶６の前後への移動を阻止するストッパ部材７，７が突設されている。このストッパ部材７，７は巾方向に延設形成されている。該ストッパ部材７，７間の中央部には、断面３角形の頂部８ａを有する大型４角空き缶底部巾方向を押圧する底部押圧部材８が固定されている。該底部押圧部材８に対向して押圧レバー３の下面には大型４角空き缶６の上面６ａを巾方向に押圧する、断面３角形の上部押圧部材９が固定されている。１０は大型４角空き缶６の載置部つまり前記ストッパ部材７，７の後方に着脱自在に配設したスペーサーで、４リットル缶のような小型４角空き缶１１を圧潰する時に使用する。そして、そのスペーサー１０には、小型４角缶の前後への移動を阻止するストッパ１２が配設されている。このストッパ１２は巾方向の一部に配設されている。このスペーサー１０には丸缶１３を圧潰できるように、その丸缶１３の位置決めを行う位置決め凹部１４が形成されている。１５は位置決めされた小型４角空き缶１１の後部近傍上面を巾方向に押圧し、あるいは位置決めされたスプレー缶のような丸缶１３の上面を巾方向に押圧する押圧部材である。
【０００６】
次に作用について説明する。１８リットル缶を圧潰する場合はスペーサー１０を取り除く。次に１８リットル大型４角空き缶６をストッパ部材７，７間に挿入し、底部押圧部材８上に載置する。次いで、押圧レバー３を手又は足で下方に押圧する。大型４角空き缶６の上面６ａ及び下面６ｂは上部押圧部材９及び底部押圧部材８により巾方向に３角形状の凹部６ａ′，６ｂ′が形成される。次いで押圧レバー３から足を外し、半圧潰状の大型空き缶６′をストッパ部材７，７より取り出し、後方に９０度回転し、次いで、押圧レバー３を再び下方に回動して押圧すると図５の如く扁平状に圧潰される。
【０００７】
小型４角空き缶１１の場合は、スペーサー１０を基台１後部に載置し、基台上のストッパ部材７に当接し、スペーサー１０上のストッパ１２に小型４角空き缶１１を当接し、押圧レバー３を下方に押し下げると、巾方向の押圧部材１５が小型４角空き缶１１の後部近傍上面を押し潰し、図６の如く扁平状に圧潰される。
丸缶１３の場合は、スペーサー１０の凹部１４に載置して位置決めし、押圧レバー３を下方に回動すると、前記押圧部材によって丸缶１３は軸方向に押圧され、図７の如く圧潰される。
【０００８】
【発明の効果】
本発明は、基台の一端の支柱に上下動自在な押圧レバーの基部を枢着した圧潰機であって、前記基台の略中央部に２本の平行なストッパ部材を設けると共に、そのストッパ部材間の中央部には、そのストッパ部材と平行に断面３角形の頂部を有する底部押圧部材を配置し、一方、前記押圧レバーの略中央部にも断面３角形の上部押圧部材を配設し、前記底部押圧部材と上部押圧部材は、押圧レバーの長手方向に対して垂直な方向に配置され、それら互いの押圧部材の頂部は、ほぼ合致するような位置に配置され、スプリングによって前記支柱の頂部に、一端を支持し他端は前記押圧レバーの中間部に保持し、また、前記ストッパ部材と基部との間であって、前記基台上面には、スペーサーを着脱自在に設けると共に、そのスペーサーの幅方向の一部にもストッパ部材を配置し、更に、前記押圧レバーの基部側にも押圧部を配設してあるので、１台の装置で１８リットル缶のような大型４角空き缶及び４リットル缶のような小型４角空き缶を圧潰でき便利である。
【図面の簡単な説明】
【図１】  本発明の一実施例正面図である。
【図２】  図１の上面図である。
【図３】  図１のスペーサー平面図である。
【図４】  図１のスペーサーに丸缶を位置決めした時の正断面図である。
【図５】  大型空き缶圧潰時の外観斜視図である。
【図６】  小型４角空き缶圧潰時の外観斜視図である。
【図７】  丸缶圧潰時の外観斜視図である。
【符号の説明】
１    基台
２    支柱
３    押圧レバー
４    ピン
５    スプリング
６    大型４角空き缶
７    ストッパ部材
８    底部押圧部材
９    上部押圧部材
１０    スペーサー
１１    小型４角空き缶
１２    ストッパ
１３    丸缶
１４    位置決め凹部
１５    押圧部材
【図１】
0003931474.tif 000002
【図２】
0003931474.tif 000003
【図３】
0003931474.tif 000004
【図４】
0003931474.tif 000005
【図５】
0003931474.tif 000006
【図６】
0003931474.tif 000007
【図７】
0003931474.tif 000008